【手続補正書】
【提出日】平成24年9月3日(2012.9.3)
【手続補正１】
【補正対象書類名】特許請求の範囲
【補正対象項目名】全文
【補正方法】変更
【補正の内容】
【特許請求の範囲】
【請求項１】
液体試料の自動化処理用のマイクロ流体処理ユニット（３）であって、
陰圧または陽圧をそこに発生させるためのポンプ（１１２）に接続された少なくとも１つの第１主経路（１１０）および少なくとも１つの第２主経路（１１１）と；
液体試料を含有する試料容器（１０２）に接続可能な前記液体試料を供給するための少なくとも１つの試料経路（１１４）であって、前記第１主経路（１１０）に通じかつオン／オフ弁（１１５）が設けられた試料経路（１１４）と；
１つ以上の試薬を供給するための１つ以上の試薬経路（１１８，１２７）であって、前記液体試料と反応するための試薬を含有する試薬容器に接続可能であり、各々が前記第１または第２主経路（１１０、１１１）連通し、かつオン／オフ弁（１１９，１２８）が設けられた前記試薬経路（１１８，１２７）と；
生じるべき試料と試薬の反応用の少なくとも１つの反応室（１２０）であって、少なくとも１つのオン／オフ弁（１２３）を経由して、前記第１および第２主経路（１１０，１１１）に接続されている反応室（１２０）と
を備えたマイクロ流体処理ユニット。
【請求項２】
前記第１主経路（１１０）が、ベント（１１３）と前記ポンプ（１１２）の間にオン／オフ弁（１２４）を備え、前記１つ以上の試薬経路（１１８）が、前記第１主経路（１１０）のベント側部分（１２５）と通じていることを特徴とし、かつ前記試料経路（１１４）が、前記第１主経路（１１０）のポンプ側部分（１２６）に通じていることを特徴とする請求項１記載の処理ユニット（３）。
【請求項３】
前記試料経路（１１４）が前記第１主経路（１１０）中に開口している開口部が、前記第１主経路（１１０）の前記オン／オフ弁（１２４）に隣接して置かれた前記試料経路（１１４）の前記オン／オフ弁（１１５）と共に、前記第１主経路（１１０）の前記オン／オフ弁（１２４）に隣接して置かれていることを特徴とする請求項２記載の処理ユニット（３）。
【請求項４】
試薬を供給するための１つ以上の第１試薬経路（１１８）であって、前記第１試薬経路（１１８）が、前記液体試料と反応するための試薬を含有する第１試薬容器に接続可能であり、前記第１試薬経路（１１８）の各々が、前記第１主経路（１１０）の前記ベント側部分（１２５）と通じ、かつオン／オフ弁（１１９）が設けられている第１試薬経路（１１８）と；
試薬を供給するための１つ以上の第２試薬経路（１２７）であって、前記第２試薬経路（１２７）が、前記液体試料と反応するための試薬を含有する第２試薬容器に接続可能であり、前記第２試薬経路（１２７）の各々が、前記第２主経路（１１１）と通じており、かつオン／オフ弁（１２８）が設けられている第２試薬経路（１２７）と
を備えた請求項２または３記載の処理ユニット（３）。
【請求項５】
前記第２主経路（１１１）には、反応室（１２０）の数に従ってまたそれに関連して１つ以上のオン／オフ弁（１２９）が設けられ、前記関連した反応室（１２０）が前記第２主経路（１１１）中および前記ポンプ（１１２）中に開口する開口部の間に、前記第２主経路（１１１）の前記オン／オフ弁（１２９）の各々が配置されている請求項４記載の処理ユニット（３）。
【請求項６】
前記第２主経路（１１１）の１つ以上のオン／オフ弁（１２９）の各々が、前記関連した反応室（１２０）の前記開口部に隣接して置かれ、前記反応室（１２０）が前記第２主経路（１１１）に接続されている前記オン／オフ弁（１２３）が、第２主経路（１１１）の前記オン／オフ弁（１２９）に隣接して置かれている請求項５記載の処理ユニット（３）。
【請求項７】
前記試料経路（１１４）に接続されている、陰圧または陽圧を前記経路（１１４）に発生させるための他のポンプ（１３０）をさらに含む請求項１〜６のいずれか１項に記載の処理ユニット（３）。
【請求項８】
前記試料経路（１１４）が、少なくとも１つのオン／オフ弁（１３５）を経由して少なくとも１つの混合室（１３１）に接続され、前記混合室（１３１）の各々には、反復流体移動を行うことにより、流体を混合するよう適合される混合手段（１３２）が、設けられている請求項１〜７のいずれか１項に記載の処理ユニット（３）。
【請求項９】
希釈流体を供給するための少なくとも１つの希釈流体経路（１３６）をさらに含み、前記希釈流体経路（１３６）が、前記液体試料を希釈するための希釈流体を含有する希釈流体容器に接続可能であり、前記希釈流体経路（１３６）が、前記試料経路（１１４）に通じ、かつオン／オフ弁（１３７）が設けられている請求項１〜８のいずれか１項に記載の処理ユニット（３）。
【請求項１０】
液体試料の自動化処理用のマイクロ流体処理ユニット（３）であって、少なくとも１セットの第１および第２区分（２０９，２１０）からなり、その各々が、
陰圧または陽圧を発生させるためのポンプ（２１４）に接続された少なくとも１つの第１および第２主経路（２１２，２１３）と；
前記第１主経路（２１２）と通じ、かつオン／オフ弁（２１６）が設けられた前記液体試料を供給するための少なくとも１つの試料経路（２１５）と；
試薬を供給するための１つ以上の試薬経路（２１８，２３３）であって、前記試薬経路（２１８，２３３）は、前記液体試料と反応するための試薬を含有する反応容器に接続可能であり、前記試薬経路（２１８，２３３）のそれぞれは、前記第１または第２主経路（２１２，２１３）と通じかつオン／オフ弁（２１９）が設けられる試薬経路（２１８，２３３）と；
生じるべき試料と試薬の反応用の少なくとも１つの反応室（２２０）であって、少なくとも１つのオン／オフ弁（２２３）を経由して、前記第１および第２主経路（２１２，２１３）に接続されている反応室（１２０）を含み、
前記第１区分（２０９）の第２主経路（２１３）が、前記第２区分（２１０）の前記試料経路（２１５）に接続されている処理ユニット（３）。
【請求項１１】
試料経路（２１５）に陽圧または陰圧を発生させるためのポンプ（２１４）に接続された１つの第１試料経路部分（２３８）および１つの第２試料経路（２３９）を含む前記試料経路（２１５）と；
少なくとも１つのオン／オフ弁（２４３）を経由して前記第１および第２試料経路部分（２３８，２３９）に接続されている１つ以上の混合および登録室（２３７）と；
試料容器（２０２）に接続される前記第１試料経路部分（２３８）とを備え、前記第３区分（２１１）の前記第２試料経路部分（２３９）は、前記第１区分（２０９）の前記試料経路（２１５）に接続されていることを特徴とする１つの第３区分（２１１）をさらに含んでいる請求項１０記載の処理ユニット（３）。
【請求項１２】
前記第１主経路（２１２）には、前記ベント（２２６）と前記ポンプ（２１４）の間にオン／オフ弁（２２５）が、設けられ、前記１つ以上の試薬経路（２１８）は、前記第１主経路（２１２）のベント側部分（２２７）と通じており、かつ前記試料経路（２１５）は、前記第１主経路（２１２）のポンプ側部分（２２８）と通じている請求項１０または１１記載の処理ユニット（３）。
【請求項１３】
前記第１および第２区分（２０９，２１０）の前記反応室（２２０）中に含有される反応生成物を検出するための１つ以上の検出器（２３６）を含む分析ユニットをさらに含む請求項１０〜１２のいずれか１項に記載の処理ユニット（３）。